(57)【要約】【課題】  可変指向性アンテナでは受信することができない電波も受信可能とする。【解決手段】  筐体４に設けられた可変指向性アンテナ６が指示された方向に指向性を電気的に変化させる。受信周波数帯が可変指向性アンテナ６の受信周波数帯と重複する八木形アンテナ８０が筐体４の外部に設けられ、八木形アンテナ８０で受信した受信信号が筐体４に設けた外部アンテナ端子８２に供給される。筐体４に設けられた切換スイッチ８４に、可変指向性アンテナ６の受信信号と、八木形アンテナ８０の受信信号とが、供給され、切換スイッチ８４は、これら受信信号の一方を選択して、筐体４に設けられた出力端子６４に供給する。【選択図】        図１
2006345248.tif 000002
【特許請求の範囲】
【請求項１】
筐体と、
この筐体に設けられ、指示された方向に指向性を電気的に変化させる可変指向性アンテナと、
受信周波数帯が前記可変指向性アンテナの受信周波数帯と少なくとも一部で重複し、かつ前記筐体の外部に設けられた外部アンテナで受信した受信信号が供給され、前記筐体に設けられた外部アンテナ端子と、
前記筐体に設けられており、前記可変指向性アンテナの受信信号と、前記外部アンテナ端子から供給された前記外部アンテナの受信信号とが、供給され、これら受信信号の一方を選択して出力する選択手段と、
前記筐体に設けられ、前記選択手段の出力信号が供給される出力端子とを、
具備するアンテナ装置。
【請求項２】
請求項１記載のアンテナ装置において、前記外部アンテナが、前記可変指向性アンテナで受信不能な送信源から送信される電波を受信可能であるアンテナ装置。
【請求項３】
請求項２記載のアンテナ装置において、前記外部アンテナが、単一指向性アンテナであるアンテナ装置。
【請求項４】
請求項１記載のアンテナ装置において、前記可変指向性アンテナが、前記出力端子に前記筐体の外部から供給される指向性制御信号に基づいて前記指向性を変化させ、前記選択手段が、前記出力端子に前記筐体の外部から供給される選択制御信号に基づいて、前記２つの受信信号の一方を選択するアンテナ装置。
【請求項５】
請求項４記載のアンテナ装置において、前記指向性制御信号は、指向性制御用データで搬送波信号を変調したものであり、前記選択制御信号は、異なる２つの値の一方を取る直流信号であるアンテナ装置。
【発明の詳細な説明】
【技術分野】
【０００１】
本発明は、アンテナ装置に関し、特に、電気的に指向性が変化させられる可変指向性アンテナが筐体内に設けられているものに関する。
【背景技術】
【０００２】
上記のようなアンテナ装置の一例が、例えば特許文献１に開示されている。この特許文献１のアンテナ装置は、筐体を有し、その筐体内に可変指向性アンテナが設けられている。この可変指向性アンテナは、筐体の外部から与えられる制御信号に基づいて、その指向性を調整できるように構成されており、それぞれ異なる方向からそれぞれ到来する電波のうち、受信しようとする電波の到来方向に可変指向性アンテナの指向性を向けて、その電波を受信するものである。
【０００３】
【特許文献１】特開２００４−１７３０６２号公報
【発明の開示】
【発明が解決しようとする課題】
【０００４】
このアンテナ装置では、指向性を可変することができるので、受信を希望する電波の到来方向が異なる場合、指向性を変化させることによって、その希望する電波を受信することができる。しかし、このアンテナの設置環境によっては、なんらかの障害物によって或る特定の電波を受信することができないことがある。或いは、このアンテナ装置で受信可能な受信エリア外の電波を受信したいこともある。
【０００５】
本発明は、可変指向性アンテナでは受信することができない電波も受信可能としたアンテナ装置を提供することを目的とする。
【課題を解決するための手段】
【０００６】
本発明の一態様によるアンテナ装置は、筐体を有している。この筐体に可変指向性アンテナが設けられている。この可変指向性アンテナは、指示された方向に指向性を電気的に変化させるものである。即ち、物理的に可変指向性アンテナの方位角を変更するものでない。そのため、この可変指向性アンテナとしては、種々のものを使用することができるが、例えば次のような構成のものを使用することもできる。筐体内における基準点から筐体の外方に向かう第１の方向と、この第１の方向と１８０度反対の第２の方向と、第１及び第２の方向と直交する第３の方向と、第３の方向と１８０度反対の第４の方向とを想定し、第１及び第２の方向のうちいずれか任意に選択された方向に指向性を向けられるように構成した第１のアンテナと、第３及び第４の方向のうちいずれか任意に選択された方向に指向性を向けられるように構成した第２のアンテナとを、筐体内に設ける。第１のアンテナとしては、例えば第１及び第２の方向に沿って８の字指向性を持つ２つのアンテナと、これら２つのアンテナの受信信号の位相を調整する位相調整手段と、位相調整された２つの受信信号を合成する合成手段とによって、第１及び第２の方向のうち選択された方向に指向性を向ける構成とすることができる。第２のアンテナとしても、例えば第３及び第４の方向に沿って８の字指向性を持つ２つのアンテナと、これら２つのアンテナの受信信号の位相を調整する位相調整手段と、位相調整された２つの受信信号を合成する合成手段とによって、第１及び第２の方向のうち選択された方向に指向性を向ける構成とすることができる。第１のアンテナの指向性を第１の方向に、第２のアンテナの指向性を第３の方向に向けた状態として、これらアンテナの受信信号のレベル調整をレベル調整手段で行い、レベル調整後の２つの受信信号を合成手段によって合成することによって第１及び第２のアンテナの合成指向性の方向を、第１及び第３の方向の間の任意の方向に指向性を向けることができる。同様に、第１のアンテナの指向性を第１の方向に、第２のアンテナの指向性を第４の方向に向けた状態、第１のアンテナの指向性を第２の方向に、第２のアンテナの指向性を第３の方向にそれぞれ向けた状態で、及び第１のアンテナの指向性を第２の方向に、第２のアンテナの指向性を第４の方向にそれぞれ向けた状態で、上述したレベル調整手段及び合成手段によって、第１及び第２のアンテナの合成指向性の方向を変更することができる。筐体には、外部アンテナ端子も設けられている。この外部アンテナ端子には、外部アンテナで受信した受信信号が供給される。この外部アンテナは、受信周波数帯が前記可変指向性アンテナの受信周波数帯と少なくとも一部で重複している。前記筐体には選択手段も設けられている。この選択手段は、前記可変指向性アンテナの受信信号と、前記外部アンテナ端子から供給された前記外部アンテナの受信信号とが、供給され、これら受信信号の一方を選択して出力する。前記筐体に出力端子が設けられている。この出力端子には、前記選択手段の出力信号が供給される。
【０００７】
このように構成すると、例えばこのアンテナ装置の設置環境の影響によって良好に受信することができない電波であっても、外部アンテナ端子に外部アンテナを接続し、選択手段によって外部アンテナの受信信号を出力端子に供給するようにすることによって、その電波を受信することができる可能性が高くなる。しかも、外部アンテナ端子は、筐体に設けられているので、出力端子と受信装置との間に設けられている伝送線路に、外部アンテナの受信信号と、出力端子からの受信信号とを切り換えるための回路を別途設ける必要が無く、伝送線路にはなんら手を加える必要がない。
【０００８】
外部アンテナは、前記可変指向性アンテナで受信不能な送信源から送信される電波を受信可能なものとすることができる。このように構成すると、例えば可変指向性アンテナで受信可能な受信エリア外の送信源から送信されている電波を良好に受信することができる。
【０００９】
更に、前記外部アンテナは、単一指向性アンテナとすることが望ましい。例えば受信しようとする信号が、デジタルテレビジョン放送信号のような場合に、無指向性アンテナを外部アンテナとして使用すると、マルチパスの影響を受けることがある。しかし、単一指向性アンテナを使用すると、マルチパスの影響をほとんど受けることがなく、良好にデジタルテレビジョン放送信号を受信することができる。
【００１０】
前記可変指向性アンテナは、前記出力端子に前記筐体の外部から供給される指向性制御信号に基づいて前記指向性を変化させるものとすることができる。この場合、前記選択手段が、前記出力端子に前記筐体の外部から供給される選択制御信号に基づいて、前記２つの受信信号の一方を選択する。
【００１１】
このように構成すると、可変指向性アンテナの指向性の制御も、外部アンテナ信号を使用するか、可変指向性アンテナを使用するかの切換の制御も、出力端子に接続される伝送線路を介して、このアンテナ装置の外部から行うことができ、しかも、伝送線路の他に上記２つの制御用の線路を敷設する必要もない。
【００１２】
さらに、前記指向性制御信号は、指向性制御用データで搬送波信号を変調したものとすることができる。この場合、前記選択制御信号は、異なる２つの値、例えば第１及び第２の状態の一方を取る直流信号、例えば直流電圧である。このように変調された信号と直流信号とを伝送線路を介して伝送するように構成すると、変調された信号と直流信号との分離をアンテナ装置側で容易に行うことができる。
【発明の効果】
【００１３】
以上のように、本発明によれば、可変指向性アンテナでは受信することができない電波も、外部アンテナによって受信可能となる。
【発明を実施するための最良の形態】
【００１４】
本発明の１実施形態のアンテナ装置２は、図２に示すように筐体４を有している。この筐体４は、例えば平面形状が概略八角形状の扁平なもので、その内部に図１に示すような可変指向性アンテナ６が設けられている。この可変指向性アンテナ６は、例えばＶＨＦ帯及びＵＨＦ帯のテレビジョン放送信号を受信するためのものである。この可変指向性アンテナ６では、ＵＨＦ帯において、例えば図３に矢印で示すように、単一指向性が所定の角度間隔で、例えば２２．５度間隔で順に回転させられる。ＶＨＦ低域においても同様に所定の角度間隔で、例えば２２．５度間隔で順に単一指向性が回転させられる。ＶＨＦ高域では、８の字指向性が所定の角度間隔で、例えば２２．５度間隔で順に回転させられる。
【００１５】
ＵＨＦ帯において指向性を回転させるために、図２に示すように、筐体４の所定位置、例えば筐体４の中心を挟んで平行に第１及び第２のアンテナ、例えばＵＨＦ帯受信用のダイポールアンテナ８、１０が配置されている。これらダイポールアンテナ８、１０は、それぞれ所定の長さを有するアンテナ素子８ａ、８ｂ、１０ａ、１０ｂを有している。同様に、筐体４の所定位置、例えば筐体４の中心を挟んで、第３及び第４のアンテナ、例えばＵＨＦ帯受信用のダイポールアンテナ１２、１４が平行に、かつＵＨＦ帯受信用のダイポールアンテナ８、１０と直交するように配置されている。ダイポールアンテナ１２、１４も、それぞれアンテナ素子１２ａ、１２ｂ、１４ａ、１４ｂを有している。
【００１６】
ダイポールアンテナ８の給電点１６ａ、１６ｂと、ダイポールアンテナ１０の給電点１８ａ、１８ｂとを、図示していない１つの位相調整手段に接続し、この位相調整手段によってダイポールアンテナ８、１０の受信信号の位相関係を位相調整し、さらにこれら位相調整された２つのダイポールアンテナ８、１０の受信信号を合成手段によって合成する。即ち、位相調整手段と合成手段とを備える位相差給電回路に、ダイポールアンテナ８、１０の受信信号に供給し、位相差給電回路で適切に位相調整及び合成を行うことによって、ダイポールアンテナ８、１０の合成指向性を、ダイポールアンテナ８、１０に直交し、筐体４の中心から互いに反対方向を向く第１及び第２の方向のうち所望の一方の方向とすることができる。
【００１７】
同様に、ダイポールアンテナ１２、１４の給電点２０ａ、２０ｂ、２２ａ、２２ｂを、別の位相差給電回路に接続し、別の１つの位相差給電回路において適切に位相調整及び合成をすることによって、ダイポールアンテナ１２、１４と直交し、筐体４の中心から互いに反対方向を向く第３及び第４の方向（いずれも第１及び第２の方向と直交する）のうち所望の一方の方向とすることができる。
【００１８】
ダイポールアンテナ８、１０の合成指向性を例えば第１の方向に、ダイポールアンテナ１２、１４の合成指向性を例えば第３の方向とした状態で、ダイポールアンテナ８、１０に対応する位相差給電回路の出力信号と、ダイポールアンテナ１２、１４に対応する位相差給電回路の出力信号とを、それぞれレベル調整手段、例えば２つの可変減衰器に供給して、それぞれのレベル調整を適切に行って合成手段によって合成する。これによって、第１の方向、第１の方向から第３の方向に２２．５度傾斜した方向、第１の方向から第３の方向に４５度傾斜した方向、第１の方向から６７．５度傾斜した方向、第３の方向のうち、いずれか所望の方向に、ダイポールアンテナ８、１０、１２、１４の合成指向性を向けることができる。
【００１９】
ダイポールアンテナ８、１０の合成指向性を例えば第２の方向に、ダイポールアンテナ１２、１４の合成指向性を第３の方向とした状態、ダイポールアンテナ８、１０の合成指向性を例えば第２の方向に、ダイポールアンテナ１２、１４の合成指向性を第４の方向とした状態、ダイポールアンテナ８、１０の合成指向性を例えば第１の方向に、ダイポールアンテナ１２、１４の合成指向性を第４の方向とした状態とし、上述したようにレベル調整を適切に行うことによって、第３の方向から、第２の方向及び第４の方向を経て第１の方向まで２２．５度間隔で回転させた方向のうち所望の方向に、合成指向性を向けることができる。
【００２０】
各ダイポールアンテナ８、１０、１２、１４の外方端には、ローディングコイル２４ａ、２４ｂ、２６ａ、２６ｂ、２８ａ、２８ｂ、３０ａ、３０ｂを介して延長素子３２ａ、３２ｂ、３４ａ、３４ｂ、３６ａ、３６ｂ、３８ａ、３８ｂが接続されている。ローディングコイル２４ａ、２４ｂ、２６ａ、２６ｂ、２８ａ、２８ｂ、３０ａ、３０ｂは、ＵＨＦ帯電波の受信時には、各ダイポールアンテナ８、１０、１２、１４と延長素子３２ａ、３２ｂ、３４ａ、３４ｂ、３６ａ、３６ｂ、３８ａ、３８ｂとが、高周波的に非接続状態とされるように、そのインダクタンスが選択されている。また、ＶＨＦ帯高域電波の受信時には、各ダイポールアンテナ８、１０、１２、１４と延長素子３２ａ、３２ｂ、３４ａ、３４ｂ、３６ａ、３６ｂ、３８ａ、３８ｂとが、高周波的に接続状態とされ、これらとローディングコイル２４ａ、２４ｂ、２６ａ、２６ｂ、２８ａ、２８ｂ、３０ａ、３０ｂのインダクタンスとによって、ＶＨＦ帯高域電波を受信できるようにも、インダクタンスが選択されている。従って、ＵＨＦ帯と同様に、ＶＨＦ帯低域においても、２つの位相差給電回路と２つの可変減衰器と合成手段との使用によって、合成指向性を、図３に示すように２２．５度間隔で変更することができる。
【００２１】
さらに、ダイポールアンテナ８、１０の間に、第５のアンテナ、例えばＶＨＦ帯低域受信用のダイポールアンテナ４０が配置されている。ダイポールアンテナ１２、１４の間に、第６のアンテナ、例えばＶＨＦ帯低域受信用のダイポールアンテナ４２が、ダイポールアンテナ４０と直交するように配置されている。これら各ダイポールアンテナ４０、４２の外方端は、筐体４の外方に突出している。これらダイポールアンテナ４０、４２は、それぞれアンテナ素子４０ａ、４０ｂ、４２ａ、４２ｂを有し、８の字指向性を示す。これらダイポールアンテナ４０、４２の給電点４４ａ、４４ｂ、４６ａ、４６ｂを、上述した２つの可変減衰器に接続し、可変減衰器それぞれにおいて減衰量を適切に調整すると、８の字指向性を２２．５度ずつ回転させることができる。なお、２つの可変減衰器には、ＵＨＦ帯及びＶＨＦ帯高域受信時には、２つの位相差給電回路の出力信号が供給され、ＶＨＦ帯低域受信時には、ダイポールアンテナ４０、４２の受信信号が供給されるように切換スイッチが設けられている。
【００２２】
上述したような指向性を可変させるための位相差給電回路及び可変減衰器の制御は、制御手段、例えば図１に示す制御部４８によって行われる。即ち、この可変指向性アンテナ６は、機械的にではなく、電気的に指向性が変化させられる。この制御部４８は、筐体４内に設けられている。
【００２３】
制御部４８は、このアンテナ装置２とは離れた位置に設置されているアンテナ制御器５０からの指向性制御信号に基づいて指向性の制御を行う。アンテナ制御器５０は、特定のチャンネル（ｃｈ）の電波を受信する場合、そのチャンネルに対応した指向性の方向を表すデータを図示していないセットトップボックスから接続部５２を介して受ける。このデータで所定の搬送波信号（受信しようとするＵＨＦ帯、ＶＨＦ帯高域、ＶＨＦ帯低域とは異なる周波数を持つ搬送波信号）を変調手段、例えばＡＳＫ変調器５４において変調、例えばＡＳＫ変調する。この変調信号は、フィルタ５６、直流阻止コンデンサ５８、入力端子６０、伝送線路、例えば同軸ケーブル６２を介してアンテナ装置２の出力端子６４に供給される。出力端子６４から直流阻止コンデンサ６６、フィルタ６８を介して復調手段、例えばＡＳＫ復調器７０に供給され、ここで上記データに復調される。この復調データは、制御部４８に供給され、制御部４８は、この復調データに対応するように、ＵＨＦ帯、ＶＨＦ帯高域またはＶＨＦ帯低域における特定の方向に、このアンテナ装置２の指向性を向ける。
【００２４】
図１に示すように、可変指向性アンテナ６での受信信号は、出力端子６４、同軸ケーブル６２、アンテナ制御器５０の入力端子６０、直流阻止コンデンサ５８を介して出力端子７２に供給され、セットトップボックスに供給される。
【００２５】
図２に符号７４で示すのは、可変指向性アンテナ６の受信エリアであり、符号７６ａ乃至７６ｄで示すのは、受信エリア７４内に存在する送信源、例えば放送局である。これら放送局７６ａ乃至７６ｄからの電波は、可変指向性アンテナ６の指向性を上述したように調整することによって受信できる。ところが、符号７８で示すように受信エリア７６よりも遠い位置にある送信源、例えば放送局からの電波（この電波も、上述したＵＨＦ帯、ＶＨＦ帯高域またはＶＨＦ帯低域のいずれかに属する）を、このアンテナ装置２の使用者が受信したいことがある。
【００２６】
この場合、図１に示す外部アンテナ、例えば単一指向性アンテナ、具体的には八木形アンテナ８０を、その指向性が放送局７８を向くように設置する。無論、八木形アンテナ８０は、放送局７８からの電波を受信可能なアンテナ利得を持つものである。筐体４には、外部アンテナ端子８２が設けられ、八木形アンテナ８０での受信信号が供給されている。この外部アンテナ端子８２からの八木形アンテナ８０での受信信号は、選択手段、例えば電子切換スイッチ８４に供給されている。この電子切換スイッチ８４には、可変指向性アンテナ６の出力信号も供給されており、切換スイッチ８４は、八木形アンテナ８０の受信信号と、可変指向性アンテナ６の出力信号とのうち一方を選択して、直流阻止コンデンサ６６を介して出力端子６４に供給している。従って、八木形アンテナ８０の受信信号と、可変指向性アンテナ６の出力信号とのうち一方は、同軸ケーブル６２、アンテナ切換器５０を介してセットトップボックスに供給される。
【００２７】
切換スイッチ８４の切換も、制御部４８が行う。制御部４８は、アンテナ制御器５０からの選択制御信号に基づいてこの制御を行う。即ち、アンテナ制御器５０は、八木形アンテナ８０を使用する際には、セットトップボックスから接続部５２を介して第１のレベル、例えば＋１２Ｖの直流電圧を、八木型アンテナ８０を使用しない際には、第２のレベル、例えば０Ｖの直流電圧を、セットトップボックスから接続部５２を介して受ける。この直流電圧は、高周波阻止コイル８６、入力端子６０、同軸ケーブル６２を介して、アンテナ装置２の出力端子６４に供給される。出力端子６４に供給された直流電圧は、高周波阻止コイル８８を介して制御部４８に供給される。制御部４８は、供給された直流電圧が＋１２Ｖの場合には、切換スイッチ８４を八木形アンテナ８０側に切り換え、０Ｖの場合には、切換スイッチ８４を可変指向性アンテナ６側に切り換える。
【００２８】
上記の説明では、受信エリア７４外の放送局７８の電波を受信する場合について説明した。しかし、例えばこのアンテナ装置２の設置環境によって、受信エリア７４内の特定の放送局の電波が良好に受信できないような場合にも、アンテナ利得が大きい八木形アンテナをその特定の放送局の方に指向性を向けて配置して、使用することもある。
【００２９】
図４は、セットトップボックスが行う上述した受信チャンネルと指向性との対応付け処理をフローチャートで示したものである。この処理が開始されると、まず、アンテナとして可変指向性アンテナ６を使用するのか、八木形アンテナ８０を使用するのかを決定する（ステップＳ２）。この決定に従って、制御部４８には＋１２Ｖまたは０Ｖの直流電圧が供給される。
【００３０】
可変指向性アンテナ６の使用と決定されると、まず全てのチャンネルについて決定したか判定する（ステップＳ４）。この判定の結果がノーであると、予め定められた順で１つのチャンネルがセットトップボックスで選択される（ステップＳ６）。次に選択されたチャンネルがアナログ方向のチャンネルであるか判定する（ステップＳ８）。
【００３１】
この判定の結果がイエスの場合には、可変指向性アンテナ６の指向性を順に変更するようにし（ステップＳ１０）、変更するごとに受信レベルを測定する（ステップＳ１２）。従って、上記の説明では、省略したが、セットトップボックスには、受信レベルの測定器も設けられている。これら受信レベルのうち最大レベルとなる方向を、このチャンネルに対応した指向性と決定する（ステップＳ１４）。
【００３２】
次に、この決定された方向において受信レベルが適正となるように調整する（ステップＳ１６）。これは、上記の説明では省略したが、可変指向性アンテナ６内にはレベル調整手段、例えば可変利得増幅器が内蔵されており、受信レベルを測定しながら、可変利得増幅器の利得を変化させる。
【００３３】
そして、最終的に調整されたレベルが最適レベルであるか判定する（ステップＳ１８）。例えば上述したように設置環境等の影響によって良好に受信できない場合には、可変利得増幅器の利得を最大にしても、適正レベルに達しないことがある。このように適正レベルでないと判断されると、このチャンネルでの受信をあきらめ、再びステップＳ４から実行して、他のチャンネルに対応した指向性を決定する。
【００３４】
ステップＳ１８において適正レベルであると判定されると、そのときのチャンネルと、指向性の方向と、適正レベルとを対応させて、セットトップボックスに記憶させる（ステップＳ２０）。そして、上述したように、実際にこのアンテナ装置２を使用する場合、セットトップボックスで特定のチャンネルが選択されると、そのチャンネルに対応した指向性の方向と可変利得増幅器の利得とを表すデータが、アンテナ制御器５０からアンテナ装置２に送信される。制御部４８は、送信された指向性の方向に可変指向性アンテナを調整し、内蔵する可変利得増幅器の利得を調整する。
【００３５】
セットトップボックスでの、指向性の方向と可変利得増幅器の利得との記憶が終了すると、再びステップＳ４から実行する。
【００３６】
ステップＳ８においてアナログ放送でないと判断されると、可変指向性アンテナ６の指向性を順に変化させ（ステップＳ２２）、指向性を変化させるごとにビットエラーレートを測定する（ステップＳ２４）。そのため、セットトップボックスは、ビットエラーレートの測定器も有している。指向性ごとに測定されたビットエラーレートのうち、もっと値が小さいものを捜し、それに対応する指向性の方向を、そのチャンネルの指向性方向と決定する（ステップＳ２６）。この決定された最小ビットエラーレートが、デジタル放送を受信するのに必要な一定値以上であるか判定する（ステップＳ２８）。
【００３７】
この判断の答えがノーであると、そのチャンネルでの受信はあきらめて、ステップＳ４から再び実行して、他のチャンネルについて指向性の決定を行う。
【００３８】
ステップＳ２８の判断の答えがイエスであると、そのチャンネルと最小ビットエラーレートとなった指向性の方向とを対応させて、制御部４８に記憶させる（ステップＳ３０）。そして、ステップＳ４から再び実行して、他のチャンネルについて指向性の決定を行う。このようにして、全てのチャンネルについて処理を行うと、即ちステップＳ４の判断の答えがイエスになると、この処理を終了する。
【００３９】
ステップＳ２において八木形アンテナ８０の使用であると判定されると、セットトップボックスでは、受信チャンネルを順に変更して、受信レベルが最も大きくなるチャンネルを検索する。即ちチャンネルスキャンを行う（ステップＳ３２）。
【００４０】
このチャンネルスキャンで決定された放送局からのテレビジョン放送信号がアナログ放送であるか判定する（ステップＳ３４）。この判断の答えがノーの場合、即ちデジタル放送の場合、ビットエラーレートを測定し（ステップＳ３５）、そのビットエラーレートが、デジタル放送を受信するのに必要な所定値以上であるか判定する（ステップＳ３６）。この判定の結果がイエスであれば、このチャンネルを記憶し（ステップＳ３８）、この処理を終了する。
【００４１】
ステップＳ３６の判定結果がノーの場合には、別のチャンネルを検索するため、ステップＳ３２のスキャンを再び行う。
【００４２】
ステップＳ３４において、アナログ放送であると判定されると、ステップＳ３８を実行して、そのチャンネルを記憶させ、この処理を終了する。
【００４３】
この記憶されたチャンネルをセットトップボックスで受信しようとする場合、セットトップボックスにおいて、この記憶されたチャンネルを受信する指定が行われると、セットトップボックスはアンテナ制御器５０に＋１２Ｖの直流電圧を供給する。これによって、切換スイッチ８４が八木形アンテナ８０に切換えられ、八木形アンテナ８０での受信信号がセットトップボックスに供給される。
【００４４】
上記の実施の形態では、可変指向性アンテナ６は、ＵＨＦ帯、ＶＨＦ帯低域及びＶＨＦ帯高域の３つの周波数帯で電波を受信するように構成したが、これら周波数帯のうち、少なくとも１つを受信するように構成することもできる。また、他の周波数帯の電波を受信するように構成することもできる。また、上記の実施の形態では、アンテナ制御器５０をセットトップボックスとは別個に設けたが、セットトップボックス内に設けることもできる。また、上記の実施の形態では、外部アンテナとして、八木形アンテナを使用したが、他の公知の単一指向性アンテナを使用することもできる。また、外部アンテナとして無指向性のアンテナを使用することもできる。但し、デジタル放送を受信する場合には、マルチパスの影響を受けることもあるので、アナログ放送の受信のみを行うような場合に、特に無指向性アンテナは適している。
【図面の簡単な説明】
【００４５】
【図１】本発明の１実施形態のアンテナ装置のブロック図である。
【図２】図１のアンテナ装置における可変指向性アンテナの平面図である。
【図３】図１のアンテナ装置の可変指向性アンテナの指向性の方向と図１のアンテナ装置と共に使用される八木形アンテナの指向性方向とを示す図である。
【図４】図１のアンテナ装置と共に使用されるセットトップボックスでの処理を示すフローチャートである。
【符号の説明】
【００４６】
２  アンテナ装置
４  筐体
６  可変指向性アンテナ
４８  制御部（制御手段）
６４  出力端子
８０  八木形アンテナ（外部アンテナ）
８２  外部アンテナ端子
８４  切換スイッチ（選択手段）
【図１】
2006345248.tif 000003
【図２】
2006345248.tif 000004
【図３】
2006345248.tif 000005
【図４】
2006345248.tif 000006